【手続補正書】
【提出日】平成17年1月13日(2005.1.13)
【手続補正１】
【補正対象書類名】明細書
【補正対象項目名】発明の名称
【補正方法】変更
【補正の内容】
【発明の名称】ランプハーネス組立品、蛍光光源、蛍光ランプ組立品、照明源、及び交換可能な蛍光光源ユニット
【手続補正２】
【補正対象書類名】明細書
【補正対象項目名】特許請求の範囲
【補正方法】変更
【補正の内容】
【特許請求の範囲】
【請求項１】
ヒータエレメントと、複数の光遮蔽エレメントと、電気絶縁基板とを含み、
前記電気絶縁基板の上に、前記ヒータエレメントと前記複数の光遮蔽エレメントとが形成されており、
前記ヒータエレメントは、平行配置された複数のヒータエレメント電力トレースと、垂直配置された複数のヒータエレメント電力トレースとによって、角の付いたＳ字形のヒータエレメントとして前記電気絶縁基板の上に形成されている、
ランプハーネス組立品。
【請求項２】
ヒータエレメントと、ヒータエレメント電力トレースと、複数の光遮蔽エレメントと、電気絶縁基板とを含み、
前記電気絶縁基板の上に、前記ヒータエレメントと前記ヒータエレメント電力トレースと前記複数の光遮蔽エレメントとが形成されており、
前記電気絶縁基板は、前記ヒータエレメントおよび前記複数の光遮蔽エレメントが形成されたランプ部と、前記ヒータエレメント電力トレースが形成されたテール部とを含み、
前記テール部が、前記ランプ部から離れるように延び、電源への電気接続を提供し、
前記ヒータエレメントは、平行配置された複数のヒータエレメント電力トレースと、垂直配置された複数のヒータエレメント電力トレースとによって、角の付いたＳ字形のヒータエレメントとして前記電気絶縁基板の上に形成されている、
ランプハーネス組立品。
【請求項３】
蛍光ランプと、
前記蛍光ランプに連結された電気絶縁基板と、
前記蛍光ランプ上に配置され、ヒータエレメントを含むヒータブランケットと、
前記ヒータブランケット上に配置された複数の光遮蔽エレメントと、
前記電気絶縁基板上に形成され、前記ヒータエレメントに接続して電力を供給する第１の対の電力トレースと、
前記電気絶縁基板上に形成された第２の対の電力トレースと、
前記第２の対の電力トレースに接続し、前記蛍光ランプに電力を供給する対の導電体と、を有し、
前記ヒータエレメントは、平行配置された複数のヒータエレメント電力トレースと、垂直配置された複数のヒータエレメント電力トレースとによって、角の付いたＳ字形のヒータエレメントとして前記のヒータブランケット上に形成されている、
蛍光光源。
【請求項４】
蛍光ランプと、複数の光遮蔽エレメントとを含み、
前記複数の光遮蔽エレメントは、前記蛍光ランプに極めて近接して配置されており、
前記複数の光遮蔽エレメントの各々は、長さ寸法と幅寸法とを有し、前記長さ寸法は前記幅寸法より大きく、
前記複数の光遮蔽エレメントは、前記長さ寸法が前記蛍光ランプの軸線に直交するよう配置され、
各光遮蔽エレメントの前記幅寸法は、プロファイル修正係数と、隣接する光遮蔽エレメントとの間隔距離とに比例している、
照明源。
【請求項５】
蛍光ランプと、複数の光遮蔽エレメントと、ヒータブランケットとを含み、
前記複数の光遮蔽エレメントは、前記蛍光ランプに極めて近接して配置されており、
前記複数の光遮蔽エレメントの各々は、長さ寸法と幅寸法とを有し、前記長さ寸法は前記幅寸法より大きく、
前記複数の光遮蔽エレメントは、前記長さ寸法が前記蛍光ランプの軸線に直交するよう配置され、
各光遮蔽エレメントの前記幅寸法は、プロファイル修正係数と、隣接する光遮蔽エレメントとの間隔距離とに比例している、
蛍光ランプ組立品。
【請求項６】
ハウジングと、
前記ハウジングに取り付けられたランプベース受け部材と、
両端にランプベースが設けられており、前記ランプベース受け部材に着脱可能に取り付けられる、蛍光ランプと、
前記蛍光ランプに連結された電気絶縁基板と、
前記蛍光ランプ上に配置されたヒータエレメントと、
前記電気絶縁基板上に形成され、前記ヒータエレメントに接続し電力を供給する第１の対の電力トレースと、
前記電気絶縁基板上に形成された第２の対の電力トレースと、
前記第２の対の電力トレースと、前記ランプベース受け部材のうちの１つとに接続し、前記蛍光ランプに電力を供給する対の導電体と、
複数の光遮蔽エレメントと、を有し、
前記複数の光遮蔽エレメントは、前記蛍光ランプに極めて近接して配置されており、
前記複数の光遮蔽エレメントの各々は、長さ寸法と幅寸法とを有し、前記長さ寸法は前記幅寸法より大きく、
前記複数の光遮蔽エレメントは、前記長さ寸法が前記蛍光ランプの軸線に直交するよう配置され、
前記ヒータエレメントは、前記電気絶縁基板上に形成されており、
前記複数の光遮蔽エレメントは、前記電気絶縁基板上に形成されており、
前記ヒータエレメントは、平行配置された複数のヒータエレメント電力トレースと、垂直配置された複数のヒータエレメント電力トレースとによって、角の付いたＳ字形のヒータエレメントとして前記電気絶縁基板の上に形成されている、
交換可能な蛍光光源ユニット。
【手続補正３】
【補正対象書類名】明細書
【補正対象項目名】００１４
【補正方法】変更
【補正の内容】
【００１４】
【課題を解決するための手段】
本発明に係るランプハーネス組立品は、ヒータエレメントと、複数の光遮蔽エレメントと、電気絶縁基板とを含み、前記電気絶縁基板の上に、前記ヒータエレメントと前記複数の光遮蔽エレメントとが形成されており、前記ヒータエレメントは、平行配置された複数のヒータエレメント電力トレースと、垂直配置された複数のヒータエレメント電力トレースとによって、角の付いたＳ字形のヒータエレメントとして前記電気絶縁基板の上に形成されている。
また、本発明に係るランプハーネス組立品は、ヒータエレメントと、ヒータエレメント電力トレースと、複数の光遮蔽エレメントと、電気絶縁基板とを含み、前記電気絶縁基板の上に、前記ヒータエレメントと前記ヒータエレメント電力トレースと前記複数の光遮蔽エレメントとが形成されており、前記電気絶縁基板は、前記ヒータエレメントおよび前記複数の光遮蔽エレメントが形成されたランプ部と、前記ヒータエレメント電力トレースが形成されたテール部とを含み、前記テール部が、前記ランプ部から離れるように延び、電源への電気接続を提供し、前記ヒータエレメントは、平行配置された複数のヒータエレメント電力トレースと、垂直配置された複数のヒータエレメント電力トレースとによって、角の付いたＳ字形のヒータエレメントとして前記電気絶縁基板の上に形成されている。
【手続補正４】
【補正対象書類名】明細書
【補正対象項目名】００１５
【補正方法】変更
【補正の内容】
【００１５】
また、本発明に係る蛍光光源は、蛍光ランプと、前記蛍光ランプに連結された電気絶縁基板と、前記蛍光ランプ上に配置され、ヒータエレメントを含むヒータブランケットと、前記ヒータブランケット上に配置された複数の光遮蔽エレメントと、前記電気絶縁基板上に形成され、前記ヒータエレメントに接続して電力を供給する第１の対の電力トレースと、前記電気絶縁基板上に形成された第２の対の電力トレースと、前記第２の対の電力トレースに接続し、前記蛍光ランプに電力を供給する対の導電体と、を有し、前記ヒータエレメントは、平行配置された複数のヒータエレメント電力トレースと、垂直配置された複数のヒータエレメント電力トレースとによって、角の付いたＳ字形のヒータエレメントとして前記のヒータブランケット上に形成されている。
本発明に係る照明源は、蛍光ランプと、複数の光遮蔽エレメントとを含み、前記複数の光遮蔽エレメントは、前記蛍光ランプに極めて近接して配置されており、前記複数の光遮蔽エレメントの各々は、長さ寸法と幅寸法とを有し、前記長さ寸法は前記幅寸法より大きく、前記複数の光遮蔽エレメントは、前記長さ寸法が前記蛍光ランプの軸線に直交するよう配置され、各光遮蔽エレメントの前記幅寸法は、プロファイル修正係数と、隣接する光遮蔽エレメントとの間隔距離とに比例している。
また、本発明に係る蛍光ランプ組立品は、蛍光ランプと、複数の光遮蔽エレメントと、ヒータブランケットとを含み、前記複数の光遮蔽エレメントは、前記蛍光ランプに極めて近接して配置されており、前記複数の光遮蔽エレメントの各々は、長さ寸法と幅寸法とを有し、前記長さ寸法は前記幅寸法より大きく、前記複数の光遮蔽エレメントは、前記長さ寸法が前記蛍光ランプの軸線に直交するよう配置され、各光遮蔽エレメントの前記幅寸法は、プロファイル修正係数と、隣接する光遮蔽エレメントとの間隔距離とに比例している。
【手続補正５】
【補正対象書類名】明細書
【補正対象項目名】００１６
【補正方法】変更
【補正の内容】
【００１６】
本発明に係る交換可能な蛍光光源ユニットは、ハウジングと、前記ハウジングに取り付けられたランプベース受け部材と、両端にランプベースが設けられており、前記ランプベース受け部材に着脱可能に取り付けられる、蛍光ランプと、前記蛍光ランプに連結された電気絶縁基板と、前記蛍光ランプ上に配置されたヒータエレメントと、前記電気絶縁基板上に形成され、前記ヒータエレメントに接続し電力を供給する第１の対の電力トレースと、前記電気絶縁基板上に形成された第２の対の電力トレースと、前記第２の対の電力トレースと、前記ランプベース受け部材のうちの１つとに接続し、前記蛍光ランプに電力を供給する対の導電体と、複数の光遮蔽エレメントと、を有し、前記複数の光遮蔽エレメントは、前記蛍光ランプに極めて近接して配置されており、前記複数の光遮蔽エレメントの各々は、長さ寸法と幅寸法とを有し、前記長さ寸法は前記幅寸法より大きく、前記複数の光遮蔽エレメントは、前記長さ寸法が前記蛍光ランプの軸線に直交するよう配置され、前記ヒータエレメントは、前記電気絶縁基板上に形成されており、前記複数の光遮蔽エレメントは、前記電気絶縁基板上に形成されており、前記ヒータエレメントは、平行配置された複数のヒータエレメント電力トレースと、垂直配置された複数のヒータエレメント電力トレースとによって、角の付いたＳ字形のヒータエレメントとして前記電気絶縁基板の上に形成されている。